(57)【特許請求の範囲】
【請求項１】
カチオン交換液体クロマトグラフィーによるヘモグロビン類の測定方法において、可視光領域でのヘモグロビン類の極大吸収領域内の特定波長が、ヘモグロビン類のモル吸光係数の５％以下のモル吸光係数を有する蛋白質が含有されている、溶離液及び／又は溶血試薬を用いることを特徴とするヘモグロビン類の測定方法。
【請求項２】
上記蛋白質が、血清アルブミン、カゼイン、ゼラチン、ミオグロビン及びグロブリンからなる群より選ばれる少なくとも一種であり、該蛋白質の濃度が１〜５００００ｐｐｍであることを特徴とする請求項１記載のヘモグロビン類の測定方法。
【発明の詳細な説明】
【０００１】
【発明の属する技術分野】
本発明は、液体クロマトグラフィーによるヘモグロビン類の測定方法に関する。
【０００２】
【従来の技術】
最近、液体クロマトグラフィー（ＬＣ）は、臨床検査分野で広く用いられており、特に、血液試料中に含まれている夾雑成分の中から測定対象成分を分離したり、性質の似た複数の成分を相互に分離分析したり、特定の成分を分取するために用いられている。
【０００３】
その中でも、糖化ヘモグロビン、特にヘモグロビンＡ１ｃ（以下、ＨｂＡ１ｃという）は糖尿病診断の指標として広く利用されている。ＨｂＡ１ｃとは血液中の糖が赤血球に入った後に、ヘモグロビンと不可逆的に結合して生成したものであり、過去１〜２カ月間の血液中の平均的な糖濃度を反映する。
【０００４】
液体クロマトグラフィー法によるＨｂＡ１ｃの測定は、主にカチオン交換液体クロマトグラフィー法により行われている（特公平８−７１９８号公報など）。溶血液試料をカチオン交換液体クロマトグラフィーにより分離すると、通常、ヘモグロビンＡ１ａ（以下、ＨｂＡ１ａという）及びヘモグロビンＡ１ｂ（以下、ＨｂＡ１ｂという）、ヘモグロビンＦ（以下、ＨｂＦという）、不安定型ＨｂＡ１ｃ、安定型ＨｂＡ１ｃ並びにヘモグロビンＡ０（以下、ＨｂＡ０という）などのピークが出現する。なお、糖尿病の診断の指標として使用されているＨｂＡ１ｃは、最近では、上記のうちの安定型ＨｂＡ１ｃであり、その割合は、全ヘモグロビンピークの面積に対する安定型ＨｂＡ１ｃピークの面積の比率（％）として求められている。
【０００５】
しかしながら安定型ＨｂＡ１ｃピークと不安定型ＨｂＡ１ｃピークの分離が困難であるため、通常、精度良く安定型ＨｂＡ１ｃピークのみを測定することが困難であった。
【０００６】
このような、カチオン交換液体クロマトグラフィーによるヘモグロビン類の測定において、測定時間の短縮は、相当進んでいるが、各ピークの分離は、上記ＨｂＡ１ｃに例示される如く未だ不十分である。
【０００７】
さらに、液体クロマトグラフ装置では、そのシステム中に塵等を除くために、ステンレス製等のラインフィルターが設置されている。しかしながら、該フィルターにヘモグロビン類が非特異的に吸着しやすいために、測定試料がフィルターの前で拡散し測定ピークがブロードになる、或いは、測定試料がフィルターに吸着されるため、注入した試料全てがカラム内に入らず測定誤差が生じる、さらに、測定の再現性が悪いという問題点があった。
【０００８】
【発明が解決しようとする課題】
本発明の目的は、上記ヘモグロビン類の測定方法の問題点に鑑み、カチオン交換液体クロマトグラフィーによるヘモグロビン類の測定方法において、ヘモグロビン類の非特異的な吸着をなくし、ヘモグロビン類の分離を高分離能で行うことができ、さらに測定再現性の優れたヘモグロビン類の測定方法を提供することにある。
【０００９】
【課題を解決するための手段】
上記目的を達成するために、請求項１記載の本発明は、カチオン交換液体クロマトグラフィーによるヘモグロビン類の測定方法において、実質的に測定値に対して影響を与えない程度に、蛋白質が含有されている溶離液及び／又は溶血試薬を用いることを特徴とするヘモグロビン類の測定方法を提供する。
【００１０】
また、請求項１記載の本発明は、上記蛋白質が、可視光領域でのヘモグロビン類の極大吸収領域内の特定波長において、ヘモグロビン類のモル吸光係数の５％以下のモル吸光係数を有する蛋白質であることを特徴とするヘモグロビン類の測定方法を提供する。
【００１１】
また、請求項２記載の本発明は、上記蛋白質が、血清アルブミン、カゼイン、ゼラチン、ミオグロビン及びグロブリンからなる群より選ばれる少なくとも一種であり、該蛋白質の濃度が１〜５００００ｐｐｍであることを特徴とする請求項１記載のヘモグロビン類の測定方法を提供する。
以下に、本発明の詳細を説明する。
【００１２】
本発明における蛋白質は、ヘモグロビン類の測定値に対し実質的に影響を与えない程度に、溶離液及び／又は溶血試薬に添加される。すなわち、蛋白質は、溶離液または溶血試薬の少なくとも一方に含有されていればよく、また両方に含有されていても良い。
【００１３】
ここで言うヘモグロビン類の測定値に実質的に影響を与えない程度とは、ヘモグロビン類の測定においてその測定値に要求される測定精度により異なるものであるが、測定精度の範囲内において蛋白質添加前後における測定値が、略同一であると看做すことの可能な程度を意味し、本発明ではこの程度において蛋白質の種類及び濃度を適宜設定することが可能である。
【００１４】
上記蛋白質としては、可視光領域でのヘモグロビン類の極大吸収領域内の特定波長において、ヘモグロビン類のモル吸光係数の５％以下のモル吸光係数を有する蛋白質を用いることができる。ここで、可視光領域でのヘモグロビン類の極大吸収領域としては、波長３５０〜６００ｎｍの領域が挙げられる。例えば、４１５ｎｍでのヘモグロビン類のモル吸光係数は３．０×１０5 であるので、この５％の値である１．５×１０4 以下のモル吸光係数を４１５ｎｍの波長で有する蛋白質を本発明において好適に用いることができる。
【００１５】
上記蛋白質の具体例としては、例えば、血清アルブミン、牛血清アルブミン（ＢＳＡ、モル吸光係数１．２５×１０4 （４１５ｎｍ））、カゼイン、ゼラチン、ミオグロビン、グロブリン等が挙げられる。
上記蛋白質は、単独で用いても、また２種以上を混合して使用しても良い。
【００１６】
上記蛋白質の溶離液又は溶血試薬中の濃度は、１ｐｐｍ未満では、ヘモグロビン類の非特異的吸収が起こりやすくなり、５００００ｐｐｍを越えるとヘモグロビン類の分離能が低下するため、１〜５００００ｐｐｍであることが好ましく、さらに好ましくは、５〜１００００ｐｐｍであり、最も好ましくは、１０〜５０００ｐｐｍである。
【００１７】
本発明における溶離液は、上記蛋白質を含有しており、これ以外の成分としてさらにカオトロピックイオン及び、ｐＨ４．０〜６．８で緩衝能を持つ無機酸、有機酸及び／又はこれらの塩を含むことが好ましい。
【００１８】
上記カオトロピックイオンとは、化合物が水溶液に溶解したとき解離して生じたイオンであり、水の構造を破壊し、疎水性物質と水が接触したときに起こる、水のエントロピー減少を抑制するものである。
【００１９】
陰イオンのカオトロピックイオンとしては、トリブロモ酢酸イオン、トリクロロ酢酸イオン、チオシアン酸イオン、ヨウ化物イオン、過塩素酸イオン、ジクロロ酢酸イオン、硝酸イオン、臭化物イオン、塩化物イオン、酢酸イオン等が挙げられる。また、陽イオンとしては、バリウムイオン、カルシウムイオン、リチウムイオン、セシウムイオン、カリウムイオン、マグネシウムイオン、グアニジンイオン等が挙げられる。
【００２０】
上記カオトロピックイオンの中でも、陰イオンとして、トリブロモ酢酸イオン、トリクロロ酢酸イオン、チオシアン酸イオン、ヨウ化物イオン、過塩素酸イオン、ジクロロ酢酸イオン、硝酸イオン、臭化物イオン等を、陽イオンとして、バリウムイオン、カルシウムイオン、マグネシウムイオン、リチウムイオン、セシウムイオン、グアニジンイオン等を用いるのが好ましい。さらに、より好ましくは、チオシアン酸イオン、トリブロモ酢酸イオン、トリクロロ酢酸イオン、ヨウ化物イオン、過塩素酸イオン、硝酸イオン、グアニジンイオン等が用いられる。
【００２１】
上記カオトロピックイオンの溶離液中の濃度は、０．１ｍＭより低いとヘモグロビン類の測定において、分離効果が低下する恐れがあり、また、３０００ｍＭよりも高くてもヘモグロビン類の分離効果はそれ以上向上しないので、０．１ｍＭ〜３０００ｍＭが好ましく、より好ましくは１ｍＭ〜１０００ｍＭ、また更に好ましくは、１０ｍＭ〜５００ｍＭである。
また、カオトロピックイオンは複数種混合して用いてもよい。
【００２２】
上記カオトロピックイオンは、測定サンプルと接触する液、例えば、溶血試薬、サンプル希釈液等にも添加してもよい。
【００２３】
また、上記ｐＨ４．０〜６．８で緩衝能を持つ無機酸、有機酸又はこれらの塩としては、以下のものが挙げられる。
上記無機酸としては、例えば、炭酸、リン酸などが挙げられる。
上記有機酸としては、例えば、カルボン酸、ジカルボン酸、カルボン酸誘導体、ヒドロキシカルボン酸、アミノ酸、カコジル酸、ピロリン酸などが挙げられる。
【００２４】
上記カルボン酸としては、例えば、酢酸、プロピオン酸などが挙げられる。上記ジカルボン酸としては、例えば、マロン酸、コハク酸、グルタル酸、アジピン酸、マレイン酸、フマル酸、フタル酸などが挙げられる。上記カルボン酸誘導体としては、例えば、β、β−ジメチルグルタル酸、バルビツール酸、アミノ酪酸などが挙げられる。上記ヒドロキシカルボン酸としては、例えば、クエン酸、酒石酸、乳酸などが挙げられる。上記アミノ酸としては、例えば、アスパラギン酸、アスパラギンなどが挙げられる。
【００２５】
上記無機酸又は有機酸の塩としては、公知のものでよく、例えば、ナトリウム塩、カリウム塩などが挙げられる。
【００２６】
上記無機酸、有機酸及び／又はこれらの塩としては、複数混合して用いても良く、無機酸と有機酸を混合して用いてもよい。
【００２７】
上記無機酸、有機酸又はこれらの塩の溶離液中の濃度は、水に溶解された状態で溶離液のｐＨを４．０〜６．８にする緩衝作用があれば良く、１〜１０００ｍＭが好ましく、１０〜５００ｍＭが特に好ましい。
【００２８】
上記溶離液のｐＨは、４．０〜６．８であり、好ましくは４．５〜５．８である。溶離液のｐＨが４未満であると、ヘモグロビン類が変性する可能性があり、ｐＨが６．８をこえると、ヘモグロビン類のプラス荷電が減少し、カチオン交換基に保持されにくくなり、ヘモグロビン類の分離が悪くなる。
【００２９】
また、溶離液には緩衝剤として、酸解離定数（ｐＫａ）が、２．１５〜６．３９及び６．４０〜１０．５０の範囲に少なくとも一つずつ存在するものが用いられることが好ましい。すなわち、単一の物質でｐＫａを、２．１５〜６．３９及び６．４０〜１０．５０の範囲に少なくとも一つずつ持つ物質を用いるか、あるいは、２．１５〜６．３９の範囲に少なくとも一つのｐＫａをもつ物質と６．４０〜１０．５０の範囲に少なくとも一つのｐＫａを持つ物質とを組み合わせて用いる。また、上記緩衝剤を複数組み合わせて用いてもよい。
上記緩衝剤のｐＫａの範囲は、測定目的のピークを分離するのに適切な溶離液のｐＨ付近において、より優れた緩衝能を発揮できるように、２．６１〜６．３９及び６．４０〜１０．５０の範囲が好ましく、より好ましくは、２．８０〜６．３５及び６．８０〜１０．００の範囲である。さらに好ましくは、３．５０〜６．２５及び７．００〜９．５０の範囲である。
【００３０】
上記緩衝剤としては、例えば、リン酸、ホウ酸、炭酸等の無機物のほか、カルボン酸、ジカルボン酸、カルボン酸誘導体、ヒドロキシカルボン酸、アニリン又はアニリン誘導体、アミノ酸、アミン類、イミダゾール類、アルコール類などの有機物が挙げられる。また、エチレンジアミン四酢酸、ピロリン酸、ピリジン、カコジル酸、グリセロールリン酸、２，４，６−コリジン、Ｎ−エチルモルホリン、モルホリン、４−アミノピリジン、アンモニア、エフェドリン、ヒドロキシプロリン、ピペリジン、トリス（ヒドロキシメチル）アミノメタン、グリシルグリシン等の有機物でもよい。
上記カルボン酸としては、例えば、酢酸、プロピオン酸、安息香酸等が挙げられる。
上記ジカルボン酸としては、例えば、マロン酸、コハク酸、グルタル酸、アジピン酸、マレイン酸、フタル酸、フマル酸等が挙げられる。
上記カルボン酸誘導体としては、例えば、β，β’−ジメチルグルタル酸、バルビツール酸、５，５−ジエチルバルビツール酸、γ−アミノ酪酸、ピルビン酸、フランカルボン酸、ε−アミノカプロン酸等が挙げられる。
上記ヒドロキシカルボン酸としては、例えば、酒石酸、クエン酸、乳酸、リンゴ酸等が挙げられる。
上記アニリン又はアニリン誘導体としては、例えば、アニリン、ジメチルアニリン等が挙げられる。
上記アミノ酸としては、例えば、アスパラギン酸、アスパラギン、グリシン、α−アラニン、β−アラニン、ヒスチジン、セリン、ロイシン等が挙げられる。
上記アミン類としては、例えば、エチレンジアミン、エタノールアミン、トリメチルアミン、ジエタノールアミン等が挙げられる。
上記イミダゾール類としては、例えば、イミダゾール、５（４）−ヒドロキシイミダゾール、５（４）−メチルイミダゾール、２，５（４）−ジメチルイミダゾール等が挙げられる。
上記アルコール類としては、例えば、２−アミノ−２−メチル−１，３−プロパンジオール、２−アミノ−２−エチル−１，３−プロパンジオール、２−アミノ−２−メチル−１−プロパノール等が挙げられる。
【００３１】
また、上記緩衝剤としては、２−（Ｎ−モリホリノ）エタンスルホン酸（ＭＥＳ）、ビス（２−ヒドロキシエチル）イミノトリス−（ヒドロキシメチル）メタン（Ｂｉｓｔｒｉｓ）、Ｎ−（２−アセトアミド）イミドジ酢酸（ＡＤＡ）、ピペラジン−Ｎ，Ｎ’−ビス（２−エタンスルホン酸）（ＰＩＰＥＳ）、１，３−ビス（トリス（ヒドロキシメチル）−メチルアミノ）プロパン（Ｂｉｓｔｒｉｓｐｒｏｐａｎｅ）、Ｎ−（アセトアミド）−２−アミノエタンスルホン酸（ＡＣＥＳ）、３−（Ｎ−モルフォリン）プロパンスルホン酸（ＭＯＰＳ）、Ｎ，Ｎ’−ビス（２−ヒドロキシエチル）−２−アミノエタンスルホン酸（ＢＥＳ）、Ｎ−トリス（ヒドロキシメチル）メチル−２−アミノエタンスルホン酸（ＴＥＳ）、Ｎ−２−ヒドロキシエチルピペラジン−Ｎ’−エタンスルホン酸（ＨＥＰＥＳ）、Ｎ−２−ヒドロキシエチルピペラジン−Ｎ’−プロパンスルホン酸（ＨＥＰＰＳ）、Ｎ−トリス（ヒドロキシメチル）メチルグリシン（Ｔｒｉｃｉｎｅ）、トリス（ヒドロキシメチル）アミノエタン（Ｔｒｉｓ）、Ｎ，Ｎ’−ビス（２−ヒドロキシエチル）グリシン（Ｂｉｃｉｎｅ）、グリシルグリシン、Ｎ−トリス（ヒドロキシメチル）メチル−３−アミノプロパンスルホン酸（ＴＡＰＳ）、グリシン、シクロヘキシルアミノプロパンスルホン酸（ＣＡＰＳ）等の一般にグッド（Ｇｏｏｄ）の緩衝液といわれるものを組成する物質も使用できる。これらの物質のｐＫａを表１・２に示す。（引用文献：堀尾武一・山下仁平  蛋白質・酵素の基礎実験法  南江堂、１９８５年）
【００３２】
【表１】
0004404429.tif 000002
【００３３】
【表２】
0004404429.tif 000003
【００３４】
上記緩衝剤の溶離液中の濃度は、緩衝作用がある範囲であればよく、好ましくは１〜１０００ｍＭ、より好ましくは１０〜５００ｍＭである。また、上記緩衝剤は、単独でも複数混合して用いてもよく、例えば、有機物と無機物を混合して用いても良い。
【００３５】
上記溶離液のうちＨｂＡ０成分を溶出するための溶離液は、カラムの耐久性の向上と測定時間短縮のために、カラムに流入する際のｐＨが、ヘモグロビンの等電点（ヘモグロビンの等電点については、理化学事典（第４版、１９８７年９月、岩波書店、久保亮五ら編集）、１１７８頁に記載あるように、ｐＨ６．８〜７．０である）よりもアルカリ側である６．８以上であることが好ましい。
【００３６】
ＨｂＡ０成分を溶出するための溶離液のｐＨは、７．０〜１２が好ましく、より好ましくは７．５〜１１．０、また更に好ましくは８．０〜９．５である。溶離液のｐＨが６．８未満になるとＨｂＡ０溶出が不十分となり、ｐＨが１２より高いと充填剤の分解が起こるものと考えられる。
【００３７】
充填剤の分解が測定に影響ない場合は、溶離液をｐＨ１２以上にするのが好ましく、ｐＨ１０〜１３．５がより好ましい。ｐＨを高くしたとき、充填剤の分解が測定値に影響する場合は、溶離液を流す時間を短くすることにより、充填剤の分解を抑えることもできる。
【００３８】
ＨｂＡ０成分の溶出に好適に用いられる、ｐＨが６．８以上で緩衝能をもつ溶離液としては、例えば、リン酸、ホウ酸、炭酸等の無機酸または、その塩；クエン酸等のヒドロキシカルボン酸、β、β−ジメチルグルタル酸等のカルボン酸誘導体、マレイン酸等のジカルボン酸、カコジル酸、等の有機酸または、その塩からなる緩衝液が挙げられる。その他、２−（Ｎ−モリホリノ）エタンスルホン酸（ＭＥＳ）、Ｎ−２−ヒドロキシエチルピペラジン−Ｎ’−エタンスルホン酸（ＨＥＰＥＳ）、ビス（２−ヒドロキシエチル）イミノトリス−（ヒドロキシメチル）メタン（Ｂｉｓｔｒｉｓ）、Ｔｒｉｓ、ＡＤＡ、ＰＩＰＥＳ、Ｂｉｓｔｒｉｓｐｒｏｐａｎｅ、ＡＣＥＳ、ＭＯＰＳ、ＢＥＳ、ＴＥＳ、ＨＥＰＥＳ、ＨＥＰＰＳ、Ｔｒｉｃｉｎｅ、Ｂｉｃｉｎｅ、グリシルグリシン、ＴＡＰＳ、ＣＡＰＳ等の一般にグッド（Ｇｏｏｄ）の緩衝液といわれるものも使用できる。また、ＢｒｉｔｔｏｎとＲｏｂｉｎｓｏｎの緩衝液；ＧＴＡ緩衝液も使用できる。また、イミダゾール等のイミダゾール類；エチレンジアミン、メチルアミン、エチルアミン、トリエチルアミン、ジエタノールアミン、トリエタノールアミン等のアミン類；グリシン、β−アラニン、アスパラギン酸、アスパラギン等のアミノ酸類；等の有機物も使用できる。
【００３９】
より効率的にＨｂＡ０を溶出させるために、ＨｂＡ０溶出用の溶離液には、カオトロピックイオンを含有することが好ましい。
添加するカオトロピックイオンとしては、上述と同様のものを用いることができる。
カオトロピックイオンの濃度としては、１〜３０００ｍＭが好ましく、より好ましくは１０〜１０００ｍＭ、更に好ましくは５０〜５００ｍＭである。
【００４０】
本発明の溶離液には、以下の物質を添加してもよい。
（１）無機塩類（塩化ナトリウム、塩化カリウム、硫酸ナトリウム、硫酸カリウム、リン酸ナトリウムなど）を添加してもよい。これらの塩類の濃度は、特に限定されないが、好ましくは１〜１５００ｍＭである。
（２）ｐＨ調節剤として、公知の酸、塩基を加えてもよい。酸としては、例えば、塩酸、リン酸、硝酸、硫酸等が、塩基としては、水酸化ナトリウム、水酸化カリウム、水酸化リチウム、水酸化マグネシウム、水酸化バリウム、水酸化カルシウム等が挙げられる。これらの酸、塩基の濃度は、特に限定されないが、好ましくは、０．００１〜５００ｍＭである。
（３）メタノール、エタノール、アセトニトリル、アセトンなどの水溶性有機溶媒とを混合してもよい。これらの有機溶媒の濃度は、特に限定されないが、好ましくは０〜８０体積％であり、カオトロピックイオン、無機酸、有機酸、これらの塩などが析出しない程度で用いるのが好ましい。
【００４１】
（４）アジ化ナトリウム、チモールなど防腐剤を添加してもよい。
（５）ヘモグロビンの安定剤として、公知の安定剤、例えば、エチレンジアミン四酢酸（ＥＤＴＡ）等のキレート剤、グルタチオン、アジ化ナトリウムなどの還元剤・酸化防止剤などを添加してもよい。
【００４２】
また、本発明の測定方法において、溶離液を測定途中で切り替えたり、勾配溶出法（グラディエント溶出法）、段階溶出法（ステップアップグラディエント溶出法）を行ってもよい。
【００４３】
本発明における溶血試薬は、上記蛋白質を含有し、それ以外の成分として、通常用いられる公知の成分を含有しても良い。
上記成分としては、例えば、上記溶離液で使用したものと同様の無機酸、有機酸及び／又はこれらの塩、界面活性剤、不安定型ＨｂＡ１ｃ除去試薬（例えば、ホウ酸、ポリリン酸等）等が挙げられる。
さらに、溶血試薬には、上記溶離液で用いられると同様のカオトロピックイオンが添加されても良い。
【００４４】
界面活性剤として、ノニオン性界面活性剤、カチオン性界面活性剤、アニオン性界面活性剤等を添加してもよい。界面活性剤を用いることにより、溶血を効率よく行うだけでなく、例えば高速液体クロマトグラフィー（ＨＰＬＣ）等で測定を行う場合、溶血試薬の通過する流路等を洗浄する効果がある。
上記界面活性剤は、好ましくはノニオン性界面活性剤が使用され、例えば、ポリオキシエチレン類（以下、ポリオキシエチレンをＰＯＥ、エチレンオキシド付加モル数を（ｎ）で表す。）、ＰＯＥ（７）デシルエーテル、ＰＯＥ（ｎ）ドデシルエーテル、ＰＯＥ（１０）トリデシルエーテル、ＰＯＥ（１１）テトラデシルエーテル、ＰＯＥ（ｎ）セチルエーテル、ＰＯＥ（ｎ）ステアリルエーテル、ＰＯＥ（ｎ）オレイルエーテル、ＰＯＥ（１７）セチルーステアリルエーテル、ＰＯＥ（ｎ）オクチルフェニルエーテル、ＰＯＥ（ｎ）ノニルフェニルエーテル、モノラウリン酸ソルビタン、モノパルミチン酸ソルビタン、モノステアリン酸ソルビタン、モノオレイン酸ソルビタン、ＰＯＥ（ｎ）モノラウリン酸ソルビタン、ＰＯＥ（ｎ）モノパルミチン酸ソルビタン、ＰＯＥ（ｎ）モノステアリン酸ソルビタン、ＰＯＥ（ｎ）モノオレイン酸ソルビタン等が挙げられる。
これらの界面活性剤は、単独でもまた複数混合して用いてもよい。
【００４５】
本発明のカチオン交換液体クロマトグラフィーにおいて用いられる充填剤は、少なくとも１種以上のカチオン交換基を有している粒子よりなるものであり、例えば、高分子粒子にカチオン交換基を導入することで得られる。
【００４６】
該カチオン交換基は、公知のものでよく特に制限はない。例えば、カルボキシル基、スルホン酸基、リン酸基などのカチオン交換基等が挙げられる。また、このカチオン交換基は、複数種導入しても良い。
【００４７】
上記粒子の直径は、好ましくは０．５〜２０μｍ、より好ましくは１〜１０μｍである。
また、粒度分布は、変動係数値（ＣＶ値）（粒径の標準偏差÷平均直径×１００（％））として、好ましくは４０％以下、より好ましくは３０％以下である。
【００４８】
上記高分子粒子としては、例えば、シリカ、ジルコニアなどの無機系粒子；セルロース、ポリアミノ酸、キトサンなどの天然高分子粒子；ポリスチレン、ポリアクリル酸エステルなどの合成高分子粒子などが挙げられる。
上記高分子粒子は、導入されるイオン交換基以外の構成成分は、より親水性であることが好ましい。また耐圧性・耐膨潤性の点から架橋度の高いものが好ましい。
【００４９】
上記高分子粒子へのカチオン交換基の導入は、公知の方法により行うことができるが、例えば、高分子粒子を調製後、粒子が有する官能基（水酸基、アミノ基、カルボキシル基、エポキシ基など）に、化学反応でカチオン交換基を粒子に導入させる方法により行うことができる。
また、カチオン交換基を有する単量体を重合して高分子粒子を調製する方法によってもカチオン交換充填剤を調製できる。例えば、カチオン交換基含有単量体と架橋性単量体等とを混合し、重合開始剤の存在下に重合する方法などが挙げられる。
また、（メタ）アクリル酸メチル、（メタ）アクリル酸エチルなどの重合性カチオン交換基含有エステルを架橋性単量体などと混合し、重合開始剤存在下で重合した後、得られた粒子を加水分解処理し、エステルをカチオン交換基に変換させてもよい。
更に、特公平８−７１９７号公報に記載のように、架橋重合体粒子を調製した後、カチオン交換基を有する単量体を添加して、重合体粒子の表面付近に、該単量体を重合させても良い。
【００５０】
上記充填剤はカラムに充填されて液体クロマトグラフィー測定に用いられる。カラムのサイズは、内径０．１〜５０ｍｍ、長さ１〜３００ｍｍのものが好ましく、より好ましくは、内径０．２〜３０ｍｍ、長さ５〜２００ｍｍである。
カラムサイズは、内径０．１ｍｍ、長さ１ｍｍより小さくなると作業性が悪く分離機能も悪くなる。また、内径５０ｍｍ、長さ３００ｍｍより大きくなると使用する充填剤量が多くなるだけでなく、分離機能も悪くなる。
【００５１】
充填剤のカラムへの充填方法は、公知の任意の方法が使用できるがスラリー充填法がより好ましい。具体的には、例えば、充填剤粒子を溶離液などの緩衝液に分散させたスラリーを送液ポンプなどによりカラムに圧入することにより行う。
【００５２】
上記カラムの素材としては、公知のステンレス製等の金属、ガラス製、ＰＥＥＫ等の樹脂製などが用いられる。
また、カラムの充填剤とカラム本体が接する部位を、不活性な素材で被覆してもよく、その素材としては、例えばＰＥＥＫ、ポリエチレン、テフロン、チタン化合物、珪素化合物、シリコン膜等が挙げられる。
【００５３】
上記測定に使用される液体クロマトグラフは、公知のものでよく、例えば、送液ポンプ、試料注入装置（サンプラ）、カラム、検出器などから構成される。また、他の付属装置（カラム恒温槽や溶離液の脱気装置など）が適宜付属されてもよい。
【００５４】
また、本発明の測定方法における溶出方法は、公知の方法でよく、段階溶出法、グラディエント溶出、ステップアップグラディエント溶出を行ってもよい。
【００５５】
上記測定方法における、他の測定条件としては、公知の条件でよく、溶離液の流速は、好ましくは０．０５〜５ｍｌ／分、より好ましくは０．２〜３ｍｌ／分である。ヘモグロビン類の検出は、４１５ｎｍの可視光が好ましいが、特にこれのみに限定されるわけではない。測定試料は、通常、界面活性剤など溶血活性を有する物質を含む溶液により溶血された溶血液を希釈したものを用いる。液体クロマトグラフへの試料注入量は、希釈倍率により異なるが、好ましくは０．１〜１００μｌ程度である。
【００５６】
【実施例】
以下に本発明の実施例を示す。
【００５７】
１．ヘモグロビンの吸着評価
以下に示した測定条件、測定試料、実施例１、２及び比較例１で調製した溶離液Ａ及び溶離液Ｂを用いて、ステンレス製ラインフィルターにおけるヘモグロビン類の吸着性について繰り返し数３で評価した。
【００５８】
（ラインフィルター）
図１及び図２に示したフィルター１をステンレス焼結体の一体成形品として製造した。構造は、円柱（直径５ｍｍ、厚さ１．５ｍｍ）部分の濾過孔径２μｍのフィルター層からなる。
次に、このフィルター１をフッ素樹脂（テフロン）製のシール部材２に挿入した後、図３に示したステンレス製ホルダー（テーパ角度９０度）３に嵌め込み、半体３ａ及び３ｂ同士を螺合して、ラインフィルター４を作製した。
【００５９】
（ヘモグロビン類の測定）
クロマトグラフに充填剤入りのカラムを取り付けずに、上記ラインフィルター４のみを取り付けて、以下の測定を行った。
0004404429.tif 000004
【００６０】
（実施例１）
（溶離液）
溶離液Ａ：３０ｍＭ過塩素酸及び２００ｐｐｍ牛血清アルブミンを含有する１００ｍＭリン酸緩衝液（ｐＨ５．８）
溶離液Ｂ：３００ｍＭリン酸緩衝液（ｐＨ６．８）
測定開始より０〜２分の間は溶離液Ａを流し、２〜３分の間は溶離液Ｂを流し、３〜５分の間は溶離液Ａを流した。
流速：２．０ｍｌ／分
検出波長：４１５ｎｍ
試料注入量：１０μｌ
（測定試料）
フッ化ナトリウム採血した健常人血に、５００ｍｇ／ｄｌとなるようグルコース水溶液を添加し、３７℃で３時間反応させ、次いで、溶血試薬（０．１重量％ポリエチレングリコール−モノ−４−オクチルフェニルエーテル（トリトンＸ−１００）（東京化成社製）のリン酸緩衝液溶液（ｐＨ７．０））で溶血し、１５０倍に希釈して測定試料ａとした。
【００６１】
（実施例２）
（溶離液）
溶離液Ａ：３０ｍＭ過塩素酸を含有する１００ｍＭリン酸緩衝液（ｐＨ５．８）
溶離液Ｂ：３００ｍＭリン酸緩衝液（ｐＨ６．８）
測定開始より０〜２分の間は溶離液Ａを流し、２〜３分の間は溶離液Ｂを流し、３〜５分の間は溶離液Ａを流した。
（測定試料）
溶血試薬にトリトンＸ−１００（東京化成社製）、２０００ｐｐｍ牛血清アルブミンを含むリン酸緩衝液溶液（ｐＨ７．０）を用いた以外は実施
例１と同様に測定試料を作成した。（測定試料ｂ）
【００６２】
（比較例１）
（溶離液）
溶離液Ａ：３０ｍＭ硝酸を含有する１００ｍＭリン酸緩衝液（ｐＨ５．８）
溶離液Ｂ  ３００ｍＭリン酸緩衝液（ｐＨ６．８）
測定開始より０〜２分の間は溶離液Ａを流し、２〜３分の間は溶離液Ｂを流し、３〜５分の間は溶離液Ａを流した。
（測定試料）
測定試料は実施例１と同様のものを用いた。
【００６３】
（測定結果）
ラインフィルターを装着せずに、実施例１、２、比較例１の測定条件で測定試料を測定したときのヘモグロビンピーク面積を１００％として、ラインフィルターを装着して実施例１、２、比較例１の測定条件で測定試料を測定したときのヘモグロビンピーク面積から、以下の式により回収率を求め、結果を表３に示した。
回収率（％）＝（ラインフィルター装着時のヘモグロビンピーク面積）÷（ラインフィルター装着なしのときのヘモグロビンピーク面積）×１００
【００６４】
【表３】
0004404429.tif 000005
【００６５】
実施例１、２では、回収率の平均値が９９．１％、９８．９％であったのに対し、比較例１では、回収率の平均値が７９．４％であった。すなわち、実施例１及び２では、比較例１に比べてヘモグロビン類の吸着が少なかった。
【００６６】
２．ヘモグロビン類の分離評価
上記実施例１、２及び比較例１で調製した溶離液Ａ及び溶離液Ｂを用いて、ヘモグロビン類の分離評価を行った。
【００６７】
0004404429.tif 000006
（溶離液）
上記、吸着評価に用いた同様の溶離液を使用した。
測定開始より０〜４分の間は溶離液Ａを流し、４〜４．５分の間は溶離液Ｂを流し、４．５〜８分の間は溶離液Ａを流した。
流速：２．０ｍｌ／分
検出波長：４１５ｎｍ
試料注入量：１０μｌ
（測定試料）
上記、吸着評価の測定試料と同様とした。
【００６８】
（測定結果）
実施例１の測定条件により、測定試料を測定して得られたクロマトグラムを図４に示した。また、実施例２の測定条件により、測定試料を測定して得られたクロマトグラムは、図４と同様であった。
比較例１の測定条件により、測定試料を測定して得られたクロマトグラムを図５に示した。
ピーク１１はＨｂＡ１ａ及びｂ、ピーク１２はＨｂＦ、ピーク１３は不安定型ＨｂＡ１ｃ、ピーク１４は安定型ＨｂＡ１ｃ、ピーク１５はＨｂＡ０を示す。
図４では、ピーク１３及び１４が良好に分離されている。図５では、ピーク１３及び１４が分離不良である。
また、上記で用いた測定試料ａの測定再現性を安定型ＨｂＡ１ｃの測定値で評価し、その結果を表４に示した。実施例１〜２では、安定型ＨｂＡ１ｃの測定再現性は非常に良好であったが、比較例１では、測定再現性が悪かった。
【００６９】
【表４】
0004404429.tif 000007
【００７０】
【発明の効果】
本発明のヘモグロビン類の測定方法の構成は、上述の如く、実質的に測定値に対して影響を与えない程度に、蛋白質が含有されているので、ヘモグロビン類の非特異的な吸着をなくし、ヘモグロビン類の分離を高分離能で行うことができ、さらに測定再現性が優れた方法を提供できる。
【図面の簡単な説明】
【図１】シール部材に挿入されたフィルターを示す断面図。
【図２】シール部材に挿入されたフィルターを示す平面図。
【図３】ラインフィルターを示す断面図。
【図４】実施例１、２の測定条件により、測定試料を測定して得られたクロマトグラムを示す図。
【図５】比較例１の測定条件により、測定試料を測定して得られたクロマトグラムを示す図。
【符号の説明】
１  フィルター
２  シール部材
３  ホルダー
４  ラインフィルター
１１  ＨｂＡ１ａ及びｂのピーク
１２  ＨｂＦのピーク
１３  不安定型ＨｂＡ１ｃのピーク
１４  安定型ＨｂＡ１ｃのピーク
１５  ＨｂＡ０のピーク
【図１】
0004404429.tif 000008
【図２】
0004404429.tif 000009
【図３】
0004404429.tif 000010
【図４】
0004404429.tif 000011
【図５】
0004404429.tif 000012